(57)【要約】【課題】設置の手間を低減させることができると共に、自分自身の健康状態を確実に把握し、自分自身の健康状態に対して必要に応じて速やかに対処することができる健康状態通知システムを提供する。【解決手段】一実施形態に係る健康状態通知システム１０は、使用者Ａが保有する寝具１と、寝具１に設けられており、使用者Ａの睡眠データを取得するセンサＳと、センサＳによって判定された使用者Ａの睡眠データから使用者Ａの健康状態を判定する健康状態判定部２３と、健康状態判定部２３によって判定された使用者Ａの健康状態を、使用者Ａの端末Ｔ１、及び使用者Ａ以外の他人Ｄの端末Ｔ４に表示するデータ表示制御部２７と、を備え、センサＳは、寝具１の上部に配置されており、且つ寝具１と一体化されている。【選択図】図１
2020178888.tif 000002
【特許請求の範囲】
【請求項１】
使用者が保有する寝具と、
前記寝具に設けられており、前記使用者の睡眠データを取得するセンサと、
前記センサによって測定された前記使用者の睡眠データから前記使用者の健康状態を判定する健康状態判定部と、
前記健康状態判定部によって判定された前記使用者の健康状態を、前記使用者の端末、及び前記使用者以外の他人の端末に表示するデータ表示制御部と、
を備え、
前記センサは、前記寝具の上部に配置されており、且つ前記寝具と一体化されている、
健康状態通知システム。
【請求項２】
前記使用者は、複数の構成員から成るグループに属しており、
前記寝具は、前記グループに属する複数の構成員のそれぞれに保有されており、
前記センサは、複数の前記寝具のそれぞれに設けられており、
前記健康状態判定部は、複数の前記センサのそれぞれによって測定された複数の前記構成員の睡眠データから複数の前記構成員の健康状態を前記構成員ごとに判定し、
前記データ表示制御部は、前記健康状態判定部によって判定された複数の前記構成員の健康状態を複数の前記構成員の端末のそれぞれに表示する、
請求項１に記載の健康状態通知システム。
【請求項３】
前記健康状態判定部は、前記使用者の睡眠データから前記使用者の疲労度の判定及び睡眠時間の算出を平日及び休日のそれぞれにおいて行い、
前記データ表示制御部は、平日における前記睡眠時間及び疲労度と、休日における前記睡眠時間及び疲労度を、前記使用者の端末、及び前記他人の端末に表示する、
請求項１又は２に記載の健康状態通知システム。
【請求項４】
前記健康状態判定部によって判定された健康状態から前記使用者への健康に関する提案情報を生成する提案情報生成部を更に備える、
請求項１〜３のいずれか一項に記載の健康状態通知システム。
【請求項５】
前記センサは、前記使用者の呼吸を測定する呼吸測定センサを含んでおり、
前記睡眠データは、前記呼吸測定センサによって測定された前記使用者の呼吸データを含んでおり、
前記健康状態判定部は、前記呼吸データから前記使用者の無呼吸の有無を判定し、
前記データ表示制御部は、前記使用者の無呼吸の有無を、前記使用者の端末、及び前記他人の端末に表示する、
請求項１〜４のいずれか一項に記載の健康状態通知システム。
【請求項６】
前記センサは、
前記使用者の呼吸を測定する呼吸測定センサと、
前記使用者の心拍を測定する心拍測定センサと、
前記使用者の体動を測定する体動測定センサと、
を含んでおり、
前記寝具の上面には、凹部及び凸部が連続して形成されており、
前記呼吸測定センサ、前記心拍測定センサ及び前記体動測定センサは、前記凸部に接触した状態で固定されている、
請求項１〜５のいずれか一項に記載の健康状態通知システム。
【発明の詳細な説明】
【技術分野】
【０００１】
本開示は、健康状態を通知する健康状態通知システムに関する。
【背景技術】
【０００２】
特開２０１６−６４３０５号公報には、就寝状況検知システムが記載されている。この就寝状況検知システムは、被験者が就寝する部屋又は閉空間と、部屋又は閉空間の内部のダスト微粒子を検知するダストカウンターと、部屋又は閉空間の内部の被検者に対する接触測定によってデータを取得する測定装置とを備える。部屋又は閉空間の内部にはファン・フィルターユニットが設けられる。
【０００３】
この就寝状況検知システムでは、ファン・フィルターユニットによって部屋又は閉空間の内部を外部よりも清浄に維持した状態で被験者が就寝する。被検者が就寝している間にはダストカウンターによってダスト微粒子数の時間変化を測定すると共に、被検者に対する接触測定を行うことにより被検者の就寝状況を検知する。このように部屋又は閉空間を清浄しつつ更にダストカウンターによってダスト微粒子の数をカウントしながら接触測定を行うことにより、接触測定の高精度化を図っている。
【先行技術文献】
【特許文献】
【０００４】
【特許文献１】特開２０１６−６４３０５号公報
【発明の概要】
【発明が解決しようとする課題】
【０００５】
前述した就寝状況検知システムでは、被験者の就寝状況を取得することが可能とされている。しかしながら、部屋又は閉空間の内部にダストカウンターを配置したりファン・フィルターユニットを配置したりしなければならず、装置が大がかりであるという問題がある。よって、就寝状況を取得する度にダストカウンター及びファン・フィルターユニットを設置しなければならないため、設置に手間がかかる。
【０００６】
また、就寝状況等の健康状態を取得するシステムとして、自分自身の健康状態を端末で管理できるものが知られている。しかしながら、自分自身で健康状態を管理するだけでは、忙しい等の理由で自分自身の健康状態を十分に管理することができない場合があり、医療機関に診てもらう等の適切な処置を速やかにとれない場合がある。このように、現状では、自分自身の健康状態を知ることはできても適切な処置をとれない場合があるため、健康状態に対する対処を速やかに行う点において改善の余地がある。
【０００７】
本開示は、設置の手間を低減させることができると共に、自分自身の健康状態を確実に把握し、自分自身の健康状態に対して必要に応じて速やかに対処することができる健康状態通知システムを提供することを目的とする。
【課題を解決するための手段】
【０００８】
本開示に係る健康状態通知システムは、使用者が保有する寝具と、寝具に設けられており、使用者の睡眠データを取得するセンサと、センサによって測定された使用者の睡眠データから使用者の健康状態を判定する健康状態判定部と、健康状態判定部によって判定された使用者の健康状態を、使用者の端末、及び使用者以外の他人の端末に表示するデータ表示制御部と、を備え、センサは、寝具の上部に配置されており、且つ寝具と一体化されている。
【０００９】
この健康状態通知システムでは、その使用者が寝具を保有し、寝具には使用者の睡眠データを取得するセンサが設けられている。健康状態判定部は、センサによって取得された使用者の睡眠データから使用者の健康状態を判定する。データ表示制御部は、使用者の健康状態を、使用者の端末、及び使用者以外の他人の端末に表示する。よって、使用者の端末、及び使用者以外の他人の端末のそれぞれに使用者の健康状態が表示されるので、使用者だけでなく使用者以外の他人も当該使用者の健康状態を把握することができる。従って、使用者以外の他人も使用者の健康状態を把握することができるので、例えば、使用者以外の医療関係者、介護関係者、又は睡眠相談所に所属する睡眠専門家の端末に当該使用者の健康状態を表示することができる。その結果、医療関係者、介護関係者又は睡眠専門家等の他人を通じて使用者が使用者自身の健康状態を十分に管理することができ、当該他人を通じて適切な処置をとることができる。よって、健康状態に対する対処を速やかに行うことができる。また、使用者が保有する寝具に設けられるセンサは、寝具の上部に配置されており、且つ寝具と一体化されている。従って、寝具に接触した使用者の身体に近い位置にセンサが設けられるので、センサが測定する睡眠データの精度を高めることができる。その結果、高精度な睡眠データを得ることができるので、使用者の健康状態の高精度なデータを取得することができる。また、センサは寝具に一体化されるので、測定の度にセンサを設置する手間を解消することができる。よって、設置の手間を低減させることができる。
【００１０】
また、使用者は、複数の構成員から成るグループに属しており、寝具は、グループに属する複数の構成員のそれぞれに保有されており、センサは、複数の寝具のそれぞれに設けられており、健康状態判定部は、複数のセンサのそれぞれによって測定された複数の構成員の睡眠データから複数の構成員の健康状態を構成員ごとに判定し、データ表示制御部は、健康状態判定部によって判定された複数の構成員の健康状態を複数の構成員の端末のそれぞれに表示してもよい。この場合、グループに属する使用者を含む複数の構成員のそれぞれが寝具を保有し、複数の寝具のそれぞれには各構成員の睡眠データを取得するセンサが設けられている。健康状態判定部は、各センサによって取得された構成員の睡眠データから、複数の構成員の健康状態を構成員ごとに判定する。そして、データ表示制御部は、複数の構成員の健康状態を複数の構成員のそれぞれの端末に表示する。よって、複数の構成員が所有する端末のそれぞれに複数の構成員の健康状態が表示されるので、各構成員が複数の構成員の健康状態を把握することができる。従って、使用者は、自分の健康状態だけでなくグループに属する他の構成員の健康状態を把握することもできるので、例えば、遠隔地に住む子供、祖父又は祖母の健康状態を把握することができる。
【００１１】
また、健康状態判定部は、使用者の睡眠データから使用者の疲労度の判定及び睡眠時間の算出を平日及び休日のそれぞれにおいて行い、データ表示制御部は、平日における睡眠時間及び疲労度と、休日における睡眠時間及び疲労度を、使用者の端末、及び他人の端末に表示してもよい。この場合、平日の疲労度と休日の疲労度とを比較することによって休日の疲労回復度を把握することができる。また、平日及び休日の疲労度を睡眠時間と対応付けて表示することにより、休日の睡眠時間と平日の睡眠時間との差分である休日の寝だめの時間と、休日の疲労回復度との関係を把握することができる。従って、休日の寝だめ可能時間、及び休日の推奨起床時間を把握することが可能となる。
【００１２】
また、健康状態判定部によって判定された健康状態から使用者への健康に関する提案情報を生成する提案情報生成部を更に備えてもよい。この場合、提案情報生成部が健康に関する提案情報を生成し、データ表示制御部が提案情報を使用者の端末及び他人の端末に表示することにより、使用者の健康状態に対する提案を更に的確に行うことができる。従って、使用者の健康状態の更なる改善に寄与する。
【００１３】
また、センサは、使用者の呼吸を測定する呼吸測定センサを含んでおり、睡眠データは、呼吸測定センサによって測定された使用者の呼吸データを含んでおり、健康状態判定部は、呼吸データから使用者の無呼吸の有無を判定し、データ表示制御部は、使用者の無呼吸の有無を、使用者の端末、及び他人の端末に表示してもよい。この場合、データ表示制御部によって使用者の無呼吸の有無に関する情報を使用者の端末及び他人の端末に表示することができるので、無呼吸を患っているか否かを把握することができると共に無呼吸に対して適切な処置を速やかにとることができる。
【００１４】
また、センサは、使用者の呼吸を測定する呼吸測定センサと、使用者の心拍を測定する心拍測定センサと、使用者の体動を測定する体動測定センサと、を含んでおり、寝具の上面には、凹部及び凸部が連続して形成されており、呼吸測定センサ、心拍測定センサ及び体動測定センサは、凸部に接触した状態で固定されていてもよい。この場合、寝具の上面に凹部及び凸部が形成されているので、クッション性が高い寝具とすることができる。更に、呼吸測定センサ、心拍測定センサ及び体動測定センサが凸部に接触した状態で固定されることにより、呼吸測定センサ、心拍測定センサ及び体動測定センサを寝具の上部に固定できるので、呼吸、心拍及び体動のデータをより高精度に取得することができる。
【発明の効果】
【００１５】
本発明によれば、設置の手間を低減させることができると共に、自分自身の健康状態を確実に把握し、自分自身の健康状態に対して必要に応じて速やかに対処することができる。
【図面の簡単な説明】
【００１６】
【図１】図１は、実施形態に係る健康状態通知システムの機能の例を示すブロック図である。
【図２】図２は、図１の寝具の例を示す平面図である。
【図３】図３は、図２の寝具の例示的な横断面を示す断面図である。
【図４】図４は、図１の寝具の機能の詳細の例を示すブロック図である。
【図５】図５は、使用者の健康状態を表示した画面の例を示す図である。
【図６】図６は、平日及び休日のそれぞれの睡眠時間及び疲労度を表示した画面の例を示す図である。
【図７】図７は、使用者の体重の時系列データの例を示す図である。
【図８】図８（ａ）は、使用者を含むグループの各構成員の睡眠時間の例示的な画面を示す図である。図８（ｂ）は、使用者を含むグループの各構成員の疲労度の例示的な画面を示す図である。
【発明を実施するための形態】
【００１７】
以下では、図面を参照しながら本開示に係る健康状態通知システムの実施形態について説明する。図面の説明において同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００１８】
本明細書において、「健康状態」とは、寝具において睡眠をとる使用者の健康状態を示しており、例えば、睡眠時間及び睡眠深度等の睡眠状態、疲労度、ストレス度、体重、無呼吸の有無、並びに病気となるリスク等、使用者の生体情報を含んでいる。「健康」とは、身体及び精神が健やかな状態であることを示している。
【００１９】
「健康状態が劣化する」とは、例えば、生活習慣に問題があることを示している。「健康状態が劣化する」ことは、睡眠時間が一定の推奨時間よりも短くなったり、睡眠深度が浅い状態が続いたり、疲労度若しくはストレス度が高い状態が続いたり、体重が増加傾向になったり、無呼吸を患ったりすることを含んでいる。「健康状態が改善する」とは、健康状態が劣化した状態から脱した状態を示している。
【００２０】
「使用者」とは、健康状態通知システムを使用する人を示している。「他人」とは、使用者以外の人を示しており、例えば、使用者の健康状態を知る権限が与えられた人を示している。「他人」は、典型的には、医療関係者、介護関係者又は睡眠専門家である。「寝具」とは、使用者が身体を休めたり睡眠をとったりするときに使用者の身体が当てられるものであり、典型的には、マットレス、敷き布団、枕、掛け布団又はクッションである。
【００２１】
「睡眠データ」とは、使用者の健康状態を判定する基となる睡眠のデータを示しており、例えば、睡眠時における使用者の呼吸、睡眠時における使用者の心拍、又は、睡眠時における使用者の体動が挙げられる。また、「睡眠データ」は、例えば、寝具に横たわる使用者の体重、身長、血圧、血糖値、脈（一例として血中飽和酸素濃度）、いびき、又は皮膚表面温度（体温）であってもよい。更に、「睡眠データ」は、寝具が置かれた部屋の温度、又は、寝具が置かれた部屋の明るさ等、部屋の環境情報も含む。
【００２２】
図１は、本実施形態に係る健康状態通知システム１０の機能の例を示すブロック図である。使用者Ａは、例えば、グループＧに属している。本明細書において、「グループ」とは、健康状態通知システムを使用する使用者を含む複数の構成員の集合体（集まり）を示しており、典型的には、家族、企業等の職場、病院又は地域が挙げられる。
【００２３】
「構成員」とはグループに属する人を示しており、「使用者」は「構成員」に含まれる。また、本実施形態では、使用者Ａ以外の構成員Ｂ，Ｃも「使用者」に含まれる。従って、使用者Ａになされる測定及び判定は、構成員Ｂ，Ｃに対しても同様に実行される。「構成員」としては、例えば、家族を構成する父、母、子、職場の職員、病院の患者、又は地域の高齢者等が挙げられる。「地域」とは、例えば、町内会等の地域のグループを示しており、当該地域に住む住民によって構成されているグループである。
【００２４】
健康状態通知システム１０は、例えば、使用者Ａ及び構成員Ｂ，Ｃのそれぞれが保有する寝具１と、各寝具１に設けられており、使用者Ａ及び構成員Ｂ，Ｃのそれぞれの睡眠データを取得する複数のセンサＳと、各センサＳによって測定された使用者Ａ及び構成員Ｂ，Ｃのそれぞれの健康状態を判定する健康状態判定部２３を含む健康管理部２０と、使用者Ａ、構成員Ｂ，Ｃ及び他人Ｄのそれぞれが所有する端末Ｔ１，Ｔ２，Ｔ３，Ｔ４とを含む。他人Ｄは、一例として、施設Ｘにおいて勤務する医療関係者であり、施設Ｘは医療機関である。
【００２５】
なお、グループＧに属する構成員は、一例として使用者Ａ及び構成員Ｂ，Ｃとしているが、構成員の人数は適宜変更可能である。更に、健康状態通知システム１０は、複数のグループを備えていてもよい。但し、健康状態の情報共有は、グループ内の構成員（使用者Ａ及び構成員Ｂ，Ｃ）と他人Ｄとの間のみで行われ、他のグループの構成員とは行われない。
【００２６】
健康状態通知システム１０では、グループに属する複数の構成員の健康状態を健康状態判定部２３によって判定し、判定した複数の構成員の健康状態を可視化してグループ内における複数の構成員及び他人との間で各構成員の健康状態を共有する。一例として、グループが家族である場合、家族を構成する複数の構成員の健康状態が複数の構成員と他人（医療関係者、介護関係者又は睡眠専門家等）との間で共有される。
【００２７】
このように、健康状態をグループ内及び他人との間で共有することによって各構成員の健康に対する意識を高めることが可能である。例えば、グループが家族である場合には、学業で睡眠時間が不足しがちな子供、又は仕事で時間がなく食事が疎かになりがちな父親に対して、睡眠時間を確保するよう促したり、栄養価が高い食事をきちんと摂ることを促したりすることが可能になる。また、遠隔地に住む祖父又は祖母等の健康状態を使用者及び医療関係者等（他人）との間で共有することも可能となる。
【００２８】
グループが会社である場合には、仕事が多すぎてストレス等で健康状態が劣化している従業員がいないかどうかを企業の健康保険組合又は医療関係者等（他人）と共有することが可能となる。これにより、例えば健康状態が劣化している従業員を、企業の健康保険組合又は医療関係者等のアドバイスを通じて休ませる等の処置が可能となる。
【００２９】
グループが地域である場合には、例えば、健康状態が劣化している高齢者がいないかどうかを医療関係者等（他人）と共有することが可能であり、健康状態が劣化している高齢者等を救済することが可能となる。但し、本実施形態に係る健康状態通知システム１０では、グループＧ又は構成員Ｂ，Ｃが存在しなくてもよく、使用者Ａ及び他人Ｄのみが存在していてもよい。すなわち、健康状態通知システム１０では、複数の構成員又はグループが存在しなくてもよい。
【００３０】
健康管理部２０は、例えば、使用者Ａ及び構成員Ｂ，Ｃのそれぞれが所有する寝具１の各センサＳと、端末Ｔ１，Ｔ２，Ｔ３，Ｔ４とのそれぞれと通信可能とされている。健康管理部２０は、各センサＳから使用者Ａ及び構成員Ｂ，Ｃのそれぞれの睡眠データを受信する。健康管理部２０の健康状態判定部２３によって判定された使用者Ａ及び構成員Ｂ，Ｃのそれぞれの健康状態は他人Ｄの端末Ｔ４に表示される。また、健康状態判定部２３によって判定された使用者Ａ及び構成員Ｂ，Ｃのそれぞれの健康状態はグループＧ内において共有されてもよい。
【００３１】
端末Ｔ１，Ｔ２，Ｔ３、Ｔ４のそれぞれは、スマートフォン又はタブレット等の携帯端末、及びパーソナルコンピュータ又はノートパソコン等のコンピュータを含んでいる。健康管理部２０は、例えば、コンピュータ（サーバであってもよい）に設けられている。寝具１は、例えば、ネットワークモジュールを構成する通信部を含んでおり、寝具１の通信部は、無線ＬＡＮ又はＢｌｕｅｔｏｏｔｈ（登録商標）等の無線通信インタフェースを含む。寝具１に内蔵されたセンサＳは、例えば、寝具１の通信部を介して健康管理部２０と通信可能である。
【００３２】
健康管理部２０が設けられるコンピュータは、例えば、オペレーティングシステム及びアプリケーションプログラム等を実行するプロセッサ（例えばＣＰＵ）と、ＲＯＭ及びＲＡＭ等によって構成される主記憶部と、ハードディスク又はフラッシュメモリ等で構成される補助記憶部と、ネットワークカード又は無線通信モジュールで構成される通信制御部と、を備える。
【００３３】
健康管理部２０が設けられるコンピュータの各構成要素は、プロセッサ又は主記憶部に所定のソフトウェアを読み込ませて当該ソフトウェアを実行することによって実現される。プロセッサは、当該ソフトウェアに従って通信制御部を動作させ、主記憶部又は補助記憶部におけるデータの読み出し又は書き出しを行う。コンピュータの処理に必要なデータは、主記憶部又は補助記憶部に記憶される。
【００３４】
健康管理部２０は、例えば、各センサＳによって取得された睡眠データを寝具１の通信部から受信する。一例として、健康管理部２０は、センサＳの後述する呼吸心拍測定センサ２が測定した使用者Ａの呼吸及び心拍、センサＳの後述する体動測定センサ３が測定した使用者Ａの体動、並びに、センサＳの後述する体重測定センサ４が測定した体重を解析する。例えば、健康状態判定部２３は、呼吸、心拍及び体動の少なくともいずれかから使用者Ａの睡眠深度を判定する。
【００３５】
一例として、健康管理部２０は、機能的構成要素として、構成員情報取得部２１、寝具情報取得部２２、健康状態判定部２３、離床通知部２４、アラーム通知部２５、提案情報生成部２６、データ表示制御部２７及びデータ記憶部２８を含む。データ記憶部２８は、健康管理部２０が受信した情報、及び健康管理部２０の内部において得られた情報を前述した主記憶部又は補助記憶部に記憶するデータベースである。
【００３６】
構成員情報取得部２１は、使用者Ａ及び構成員Ｂ，Ｃの情報を取得する。構成員情報取得部２１は、例えば、構成員個人情報、職場通学場所情報、グループ情報及び情報共有可能者情報を取得する。構成員個人情報は、一例として、健康状態通知システム１０の構成員を識別するための情報（利用者ＩＤ）、パスワード、性別、年齢、居住場所情報（郵便番号）、メールアドレス及び何人で寝ているかに関する情報（１人で寝ているか複数人で寝ているか等）を含む。
【００３７】
前述した構成員個人情報は、例えば、入眠前の使用者Ａ及び構成員Ｂ，Ｃのそれぞれの情報、具体例として、入眠数時間前（一例として入眠２時間前）までの行動情報を含む。当該行動情報は、一例として、食事の有無、運動の有無、入浴の有無、飲酒の有無、カフェイン摂取の有無、喫煙の有無、及び疲労感の程度に関する情報を含む。なお、疲労感の程度は、例えば、選択式（一例として５段階のラジオボタン）で入力されてもよい。この場合、疲労感の入力の手間を軽減させることが可能となる。
【００３８】
更に、前述した構成員個人情報は、起床後の使用者Ａ及び構成員Ｂ，Ｃの情報を含んでいてもよく、例えば、起床後の疲労感の程度に関する情報を含んでいてもよい。構成員個人情報が入眠前の疲労感の程度に関する入力情報と起床後の疲労感の程度に関する入力情報とを含むことにより、睡眠による疲労感の回復度合をデータ記憶部２８に蓄積することが可能となる。
【００３９】
構成員情報取得部２１に取得される職場通学場所情報は、例えば、職場通学場所の郵便番号を含む。構成員個人情報及び職場通学場所情報のそれぞれは例えば端末Ｔ１，Ｔ２，Ｔ３のそれぞれから構成員情報取得部２１に取得され、当該取得された情報はデータ記憶部２８に記憶される。これにより、健康状態判定部２３は、例えば、性別ごとの健康状態の判定、年代ごとの健康状態の判定、又は職場通学場所ごとの健康状態の判定を行うことが可能である。更に、健康状態判定部２３は、入眠数時間前までの食事の有無、運動の有無、入浴の有無、飲酒の有無、カフェイン摂取の有無、喫煙の有無、又は疲労感の程度ごとの健康状態の判定を行うことが可能である。また、健康状態判定部２３は、居住場所情報（郵便番号）ごとの健康状態の判定を行うことが可能である。
【００４０】
構成員情報取得部２１に取得されるグループ情報は、構成員が属するグループの情報である。例えば、グループ情報は、使用者Ａ及び構成員Ｂ，ＣについてはグループＧ（例えばＸＸ一家）という情報を含む。構成員情報取得部２１に取得される情報共有可能者情報は、構成員のそれぞれの健康状態の共有を可能な構成員の情報を含んでいる。例えば、使用者Ａは構成員Ｂとは健康状態を共有してもよいが構成員Ｃとは健康状態を共有したくない場合、使用者Ａの情報共有可能者情報は構成員Ｂのみである。構成員情報取得部２１が情報共有可能者情報を有することによって、構成員ごとに健康状態の情報共有者を選択することが可能となる。
【００４１】
寝具情報取得部２２は、寝具１の情報を取得する。寝具情報取得部２２は、例えば、寝具１を識別する寝具品番情報と、使用場所情報とを含む。使用場所情報は、例えば、寝具１の使用場所（一例として自宅）の郵便番号を含む。寝具情報取得部２２は、寝具１の品番、及び寝具１の使用場所情報を例えば端末Ｔ１，Ｔ２，Ｔ３のそれぞれから取得し、当該取得された情報はデータ記憶部２８に記憶される。
【００４２】
健康状態判定部２３は、例えば、寝具１の品番ごと（又は寝具１の種類ごと）の健康状態の判定、又は寝具１の使用場所ごとの健康状態の判定を行う。更に、健康状態判定部２３は自宅及び職場通学場所ごとの健康状態の判定を行ってもよく、この場合、通勤時間又は通学時間と健康状態との関係を把握することも可能となる。
【００４３】
また、自宅以外の場所（例えばホテル）の寝具１において前述した使用場所情報が寝具情報取得部２２に取得されている場合、健康状態判定部２３は普段の寝具１の使用場所（例えば自宅）以外の使用者Ａの健康状態を判定することが可能となる。健康状態判定部２３は、各センサＳから得られた睡眠データから構成員ごとに健康状態を判定する。以下では、健康状態判定部２３について詳細な説明を行う前に寝具１及びセンサＳの具体例について説明する。
【００４４】
図２に示されるように、本実施形態に係る寝具１は、例えば、使用者Ａが睡眠をとるときに使用者Ａの睡眠データを測定する。「睡眠データを測定する」とは、例えば、睡眠中の使用者Ａの呼吸、心拍、体動、及び脈の少なくともいずれかを測定することによって、使用者Ａの眠りの深さ等を推定し、眠りの状態に関する情報を取得することを示している。寝具１は、通常の寝具と同様、睡眠をとるために個人用又は家庭用として用いられてもよいし、試験研究用として研究所等で用いられるものであってもよい。
【００４５】
寝具１に内蔵されたセンサＳ（図１参照）は、例えば、使用者Ａの呼吸及び心拍を測定する呼吸心拍測定センサ２と、使用者Ａの体動を測定する体動測定センサ３と、使用者Ａの体重を測定する体重測定センサ４とを備える。呼吸心拍測定センサ２、体動測定センサ３及び体重測定センサ４を含む寝具１のセンサＳは、寝具１に一体化され、本実施形態では、寝具１の内部に予め固定されている。
【００４６】
本明細書において「一体化」とは、ある物と他の物とが互いに固定されて一体となることを示しており、ある物と他の物とが予め一体化されていること、及びある物と他の物とが後で一体化されること、の両方を含んでいる。なお、寝具１のセンサＳの構成は、上記呼吸心拍測定センサ２、体動測定センサ３及び体重測定センサ４を含む例に限られず、例えば、呼吸心拍測定センサ２、体動測定センサ３及び体重測定センサ４の少なくともいずれかが省略されてもよい。
【００４７】
例えば、寝具１は、２つの呼吸心拍測定センサ２を備える。一例として、呼吸心拍測定センサ２は、同軸線を含む圧電センサである。但し、呼吸心拍測定センサ２の種類は適宜変更可能である。また、本実施形態では、呼吸を測定する呼吸測定センサと、心拍を測定する心拍測定センサとが一体の呼吸心拍測定センサ２とされている。しかしながら、呼吸測定センサと心拍測定センサとが互いに独立して別々に設けられていてもよい。
【００４８】
例えば、呼吸心拍測定センサ２は、寝具１の長手方向Ｄ１の一端１ａから長さＬ１の箇所に配置された呼吸心拍測定センサ２Ａと、一端１ａから長さＬ２の箇所に配置された呼吸心拍測定センサ２Ｂとを含む。呼吸心拍測定センサ２Ａ及び呼吸心拍測定センサ２Ｂは、共に、寝具１の幅方向Ｄ２に延びている。長さＬ１は使用者Ａの肩Ｍ１から胸Ｍ２の位置に相当する長さであり、長さＬ２は使用者Ａの腰Ｍ３の位置に相当する長さである。
【００４９】
例えば、長さＬ１は３０ｃｍ以上且つ７０ｃｍ以下（一例として５０ｃｍ）であり、長さＬ２は７０ｃｍ以上且つ１１０ｃｍ以下（一例として９０ｃｍ）である。呼吸心拍測定センサ２は、寝具１の幅方向Ｄ２の一端から他端まで延びており、これにより、使用者Ａがどのように寝返りを打っても使用者Ａの呼吸及び心拍を測定することが可能となる。なお、平面視における呼吸心拍測定センサ２の位置は、上記の例に限られず適宜変更可能である。
【００５０】
例えば、体動測定センサ３は、寝具１の上に横たわる使用者Ａの体動を測定する。「体動」とは、身体の向きが仰臥位（仰向け）、側臥位（横向き寝）及び俯せのそれぞれの時系列データを含んでおり、睡眠中における使用者Ａの身体の動きを示している。体動測定センサ３は、例えば、伸縮性を有する歪みセンサである。
【００５１】
一例として、体動測定センサ３は、ゴム状の静電容量センサである。この場合、体動測定センサ３は、複数の金属片と、複数の金属片の間に位置する誘電体とを備える。外力で体動測定センサ３が変形すると、外力に伴って複数の金属片の間の距離が変化して静電容量が変化することにより、体動測定センサ３が使用者Ａの体動を検出する。なお、体動測定センサ３の種類は、上記の例に限られず適宜変更可能である。
【００５２】
寝具１は、例えば、複数（一例として４個）の体動測定センサ３を備える。４個の体動測定センサ３は、例えば、平面視における左端に配置された体動測定センサ３Ａ、平面視における右端に配置された体動測定センサ３Ｄ、体動測定センサ３Ａと体動測定センサ３Ｄの間において左側に配置された体動測定センサ３Ｂ及び右側に配置された体動測定センサ３Ｃを含む。
【００５３】
複数の体動測定センサ３は、例えば、寝具１の幅方向Ｄ２に沿って配列されている。このように、複数の体動測定センサ３が幅方向Ｄ２に沿って配列されることにより、使用者Ａがどの位置で寝ていてもより確実に使用者Ａの体動を測定することが可能となる。複数の体動測定センサ３は、例えば、平面視における寝具１の中心１ｂを通ると共に長手方向Ｄ１に延びる直線Ｌに対して互いに対称となる位置に配置されていてもよい。
【００５４】
体重測定センサ４は、その図示を簡略化しているが、例えば、寝具１の複数の箇所のそれぞれにおける体圧を検出する複数の圧力センサを含んでいる。体重測定センサ４は、複数の圧力センサの検出値から使用者Ａの体重、或いは体重の変化率を算出する。また、体重測定センサ４は使用者Ａの荷重を測定する。そして、体重測定センサ４によって測定された使用者Ａの荷重の有無によって健康状態判定部２３は使用者Ａの寝具１の使用有無を判定する。なお、体重測定センサ４の構成は複数の圧力センサを備える構成に限られず適宜変更可能である。
【００５５】
図３は、寝具１を鉛直方向に沿って切断したときの断面図である。寝具１は、例えば、マットレスである。一例として、寝具１は、クッション材５と、クッション材５を覆う側地９とを備える。呼吸心拍測定センサ２、体動測定センサ３及び体重測定センサ４は寝具１の上部５Ａに設けられている。本明細書において、「上部」とは、あるものの下面より上方の部分を示しており、例えば、あるものの上半分の部分、及びあるものの上面を含む部分を示していてもよい。
【００５６】
クッション材５は、例えば、直方体状を成すベース部６と、ベース部６の上面６ａに設けられる複数の第１突起７（凸部）と、各第１突起７の頂面７ｂに設けられる第２突起８（凸部）とを備える。一例として、ベース部６及び第１突起７は第２突起８よりも硬く、各第２突起８はスポンジ状とされている。第１突起７及び第２突起８は、ベース部６の上面６ａにおいて格子状に配置されていてもよい。
【００５７】
ベース部６は、例えば、上面６ａから下方に延びるスリット６ｂ（凹部）を備える。一例として、スリット６ｂは、上面６ａから下方に延びる直線部６ｃと、直線部６ｃの下端において拡張する拡張部６ｄとを有する。拡張部６ｄは、例えば、直線部６ｃの下端から円形状に拡張しているが、拡張部６ｄの形状は適宜変更可能である。このように、スリット６ｂの直線部６ｃの下端に拡張部６ｄが形成されることにより、クッション材５のクッション性が高められている。
【００５８】
ベース部６は、複数のスリット６ｂを備えており、例えば、複数のスリット６ｂがクッション材５において周期的に設けられていてもよい。このように、複数のスリット６ｂを有することによってクッション性が高い領域を広くすることができ、複数のスリット６ｂが周期的に設けられることによってクッション性が高い領域を均一に配置することが可能となる。
【００５９】
第１突起７の材料は、例えば、ベース部６の材料と同一である。例えば、２つのスリット６ｂの間に複数の第１突起７が設けられている。すなわち、２つのスリット６ｂの間に形成されたベース部６の島部６ｅに複数の第１突起７が設けられている。一例として、島部６ｅに３列の第１突起７が配置されている。なお、第１突起７の材料は、ベース部６の材料とは異なっていてもよく、適宜変更可能である。
【００６０】
第１突起７は、例えば、截頭四角錐状とされている。具体的には、第１突起７は、ベース部６の上面６ａから上方に延びる複数の斜辺７ａと、複数の斜辺７ａの上端同士の間において上面６ａに沿って延びる頂面７ｂとを備える。斜辺７ａは、例えば、第１突起７の外側に膨らむように湾曲している。
【００６１】
また、側面視において、第１突起７は、２本の斜辺７ａが脚となる台形状とされていてもよい。頂面７ｂは、一例として、平坦面である。しかしながら、斜辺７ａ及び頂面７ｂの形状は適宜変更可能であり、更に、第１突起７の形状は、截頭四角錐状に限られず、適宜変更可能である。
【００６２】
第２突起８は、第１突起７の頂面７ｂに載せられた突起であって、クッション材５の上端面を形成する。第２突起８は、例えば、上端に頂点が位置する放物線状となっている。しかしながら、第２突起８の形状は、例えば、円弧状であってもよく適宜変更可能である。一例として、第２突起８は着色されており、例えば、第２突起８の色彩はベース部６及び第１突起７の色彩とは異なる。これにより、着色された第２突起８が格子状に配列されるので、クッション材５のデザイン性が高められている。
【００６３】
呼吸心拍測定センサ２は、例えば、第２突起８の頂部８ａに固定されていてもよい。呼吸心拍測定センサ２は、複数の頂部８ａのうちの一部に固定されていてもよいし、複数の頂部８ａの全てに固定されていてもよい。また、呼吸心拍測定センサ２は、例えば、側地９の裏面９ａと第２突起８の頂部８ａとの間に設けられていてもよく、側地９の裏面９ａに固定されていてもよい。更に、呼吸心拍測定センサ２は、スリット６ｂの内部（例えば、直線部６ｃ及び拡張部６ｄによって画成された空間）に固定されていてもよい。呼吸心拍測定センサ２の固定の手段は、例えば、縫い込み、接着又は溶着等、種々の方法が挙げられる。以上のようにクッション性及びデザイン性が良好な寝具１を使用者Ａ及び構成員Ｂ，Ｃのそれぞれが使用することにより、使用者Ａ及び構成員Ｂ，Ｃは快適な寝心地を得ることが可能となる。
【００６４】
図１及び図４に示されるように、寝具１に設けられたセンサＳは、更に、血圧測定センサ１１、音測定センサ１２、脈測定センサ１３、温度センサ１４及び明るさセンサ１５の少なくともいずれかを含んでいてもよい。血圧測定センサ１１は、寝具１に横たわった使用者Ａの血圧を測定する。
【００６５】
例えば、血圧測定センサ１１は、寝具１の中心１ｂを通る直線Ｌ上に配置されていてもよいし、使用者Ａの腰Ｍ３が載せられる位置に配置されていてもよい。この場合、使用者Ａがどのように寝返りを打っても使用者Ａの身体を血圧測定センサ１１に当てやすくすることができる。その結果、血圧の測定の精度を高めることが可能となる。なお、血圧測定センサ１１に代えて、呼吸心拍測定センサ２が測定した使用者Ａの心拍から血圧を推定してもよい。この場合、血圧測定センサ１１を省略することも可能である。
【００６６】
音測定センサ１２は、寝具１が設けられた寝床内（例えば、寝具１が設けられた部屋）の音量を測定する。音測定センサ１２は、例えば、平面視における側地９の隅部に固定されており、この場合、音測定センサ１２が睡眠の邪魔にならないようにすることが可能である。
【００６７】
脈測定センサ１３は、睡眠中の使用者Ａの脈を測定するセンサであり、例えば、血圧測定センサ１１と同様に配置されている。血圧測定センサ１１及び脈測定センサ１３のそれぞれは、例えば、発光素子及び受光素子を備えた光学センサであってもよい。この場合、血圧測定センサ１１は、発光素子が使用者Ａの血管に光を照射し、当該照射に伴って血管から反射した光を受光素子が受光することによって血圧を測定する。
【００６８】
また、脈測定センサ１３は、発光素子が使用者Ａの血管に光を照射し、当該照射に伴って血管から反射した光を受光素子が受光し、当該受光素子の受光量の時系列データから使用者Ａの脈を測定する。温度センサ１４は、寝具１が設けられた寝床内の温度を測定する。また、明るさセンサ１５は、寝具１が設けられた寝床内の明るさを測定する。以上で説明した血圧測定センサ１１、音測定センサ１２、脈測定センサ１３、温度センサ１４及び明るさセンサ１５のセンサの種類は上記の例に限られず適宜変更可能である。
【００６９】
健康状態判定部２３は、睡眠時間判定部２３ａ、睡眠深度判定部２３ｂ、疲労度判定部２３ｃ、ストレス判定部２３ｄ、体重判定部２３ｅ、血圧判定部２３ｆ、呼吸判定部２３ｇ、脈判定部２３ｈ、寝返り判定部２３ｊ及び睡眠環境判定部２３ｋを有する。睡眠時間判定部２３ａは、例えば、体重測定センサ４によって測定された寝具１への使用者Ａの荷重の時系列データから睡眠時間を判定する。
【００７０】
この場合、睡眠時間判定部２３ａは、体重測定センサ４によって使用者Ａの荷重が検知されたときに睡眠時間の加算を行い、体重測定センサ４によって使用者Ａの荷重が検知されなくなったときに睡眠時間の加算を停止することによって、使用者Ａの睡眠時間を算出する。また、睡眠時間判定部２３ａは、呼吸心拍測定センサ２によって測定された使用者Ａの呼吸及び心拍、又は体動測定センサ３によって測定された使用者Ａの体動から睡眠時間の判定を行ってもよい。
【００７１】
睡眠時間判定部２３ａは、例えば、使用者Ａの睡眠時間が平均を含む所定範囲から一定時間以上長い又は短いとき（一例として５時間以下又は９時間以上）であるときに健康状態が劣化していると判定してもよい。また、睡眠時間判定部２３ａは、使用者Ａの睡眠時間の一定期間における変動量（例えば、１週間における睡眠時間の最長と最短との差）が所定時間以上であるときに健康状態が劣化していると判定してもよい。
【００７２】
更に、睡眠時間判定部２３ａは、入眠時刻が所定時刻（例えば午前１時）より遅いとき、又は起床時刻が所定時刻（例えば午前９時）より遅いときに健康状態が劣化していると判定してもよい。また、睡眠時間判定部２３ａは、一定期間における入眠時刻又は起床時刻の変化量が所定時間より長い（例えば１週間における入眠時刻又は起床時刻の変化量が２時間より長い）ときに健康状態が劣化していると判定してもよい。
【００７３】
寝返り判定部２３ｊは、体動測定センサ３によって得られた使用者Ａの体動から使用者Ａの寝返りを測定する。例えば、寝返り判定部２３ｊは、使用者Ａの就寝時における使用者Ａの寝返りの回数を測定する。具体例として、寝返り判定部２３ｊは、使用者Ａの仰向けの時間及び回数、使用者Ａの横向き寝の時間及び回数、並びに、使用者Ａのうつ伏せの時間及び回数、を測定してもよい。寝返り判定部２３ｊは、例えば、使用者Ａの寝返りの回数が所定範囲以下であるときに、凝り又は蒸れによって使用者Ａの疲れが解消しづらいと判定してもよい。また、寝返り判定部２３ｊは、使用者Ａの寝返りの回数が所定範囲以上であるときに、寝具１が硬すぎる可能性があり熟睡できていないと判定してもよい。
【００７４】
睡眠深度判定部２３ｂは、例えば、睡眠中の使用者Ａの睡眠深度を判定する。例えば、睡眠深度判定部２３ｂは、寝返り判定部２３ｊによって判定された使用者Ａの寝返りの回数、並びに、呼吸心拍測定センサ２によって測定された使用者Ａの呼吸及び心拍、の少なくともいずれかから使用者Ａの睡眠深度を判定する。
【００７５】
一例として、睡眠深度判定部２３ｂは、寝返りの回数が所定回数以下であるときに使用者Ａの睡眠深度が深いと判定してもよい。また、睡眠深度判定部２３ｂは、呼吸及び心拍の少なくともいずれかが所定回数以上であるときに使用者Ａの睡眠深度が浅いと判定してもよい。
【００７６】
睡眠深度判定部２３ｂは、例えば、使用者Ａの睡眠深度を、０（レム睡眠）、１、２、３及び４のいずれかの５段階で判定する。この場合、睡眠深度判定部２３ｂが判定した睡眠深度の数値が大きいほど睡眠深度が深いことを示しており、例えば、睡眠深度「４」が最も深く、「０」が最も浅い。
【００７７】
疲労度判定部２３ｃは使用者Ａの疲労度を判定する。ここで、「疲労度」とは、疲労の程度を表した値であって、一例として、最も疲労度が低い「Ａ」から「Ｂ」、「Ｃ」、「Ｄ」及び最も疲労度が高い「Ｅ」の５段階で示される。この場合、「Ａ」が最も疲労度が少なく、「Ｅ」が最も疲労している状態である。疲労度は、例えば、呼吸心拍測定センサ２によって測定された呼吸及び心拍が所定範囲内で安定している場合に低く判定され、呼吸心拍測定センサ２によって測定された呼吸及び心拍のいずれかが所定範囲から逸脱している場合に高く判定されてもよい。
【００７８】
ストレス判定部２３ｄは使用者Ａのストレス度を判定する。ここで、「ストレス度」とは、使用者Ａが受けているストレスの度合を表した値であって、一例として、「高」、「中」及び「低」の３段階で示される。ストレス判定部２３ｄは、呼吸心拍測定センサ２によって得られた使用者Ａの心拍変動の時系列データ（ＲＲＩ：R-R Interval）からストレス指標を示すＬＦ／ＨＦを判定し、当該判定の結果を「高」、「中」及び「低」のいずれかとしてもよい。
【００７９】
体重判定部２３ｅは、体重測定センサ４によって測定された使用者Ａの体重、或いは体重の変化率に対して判定を行う。体重判定部２３ｅは、例えば、測定された使用者Ａの体重が所定の上限値以上又は所定の下限値以下であるときに健康状態が劣化していると判定する。また、体重判定部２３ｅが体重の変化率に対して判定を行うことにより、体重の変化率に対する近い将来の体重予測を行うことが可能となる。更に、体重判定部２３ｅは、例えば、データ記憶部２８に一定期間蓄積されている体重の変動量が一定値より大きいときに健康状態が劣化していると判定してもよい。
【００８０】
血圧判定部２３ｆは、血圧測定センサ１１によって測定された使用者Ａの血圧に対して判定を行う。血圧判定部２３ｆは、体重判定部２３ｅと同様、測定された使用者Ａの収縮期血圧（最高血圧）が所定の上限値以上（例えば１４０ｍｍＨｇ以上）となったときに健常状態が劣化したと判定してもよい。また、血圧判定部２３ｆは、データ記憶部２８に一定期間蓄積されている使用者Ａの血圧の変動量が一定値より大きいときに健康状態が劣化していると判定してもよい。
【００８１】
呼吸判定部２３ｇは、呼吸心拍測定センサ２によって測定された使用者Ａの睡眠時の呼吸が一定時間以上停止したか否か（無呼吸の有無）を判定する。例えば、呼吸判定部２３ｇは、呼吸心拍測定センサ２によって使用者Ａの呼吸が１０秒以上停止したときに無呼吸があったと判定してもよい。また、呼吸判定部２３ｇは、当該無呼吸が１時間に５回以上又は６時間に３０回以上あったときに睡眠時無呼吸を患っていると判定してもよい。
【００８２】
脈判定部２３ｈは、脈測定センサ１３によって測定された使用者Ａの脈が正常であるか否かを判定する。脈判定部２３ｈは、例えば、測定された使用者Ａの脈の数が所定範囲から一定値以上乖離しているときに健康状態が劣化していると判定してもよい。また、脈判定部２３ｈは、測定された使用者Ａの脈の数の最大値と最小値との差が所定値以上であるときに使用者Ａの健康状態が劣化していると判定してもよい。
【００８３】
睡眠環境判定部２３ｋは、寝具１において睡眠をとっている部屋の睡眠環境を判定する。例えば、睡眠環境判定部２３ｋは、音測定センサ１２によって測定された当該部屋の音量が一定値以上、温度センサ１４によって測定された当該部屋の温度が一定範囲外、又は、明るさセンサ１５によって測定された当該部屋の明るさが一定値以上、であるときに睡眠環境がよくないと判定してもよい。また、睡眠環境がよくないと睡眠環境判定部２３ｋが判定したときに睡眠深度判定部２３ｂが使用者Ａの睡眠状態が浅いと判定してもよい。
【００８４】
以上のように健康状態判定部２３の各機能が判定した内容は、データ表示制御部２７によって使用者Ａの端末Ｔ１及び他人Ｄの端末Ｔ４に表示される。なお、健康状態判定部２３は、構成員情報取得部２１に入力された使用者Ａの年齢、性別、及び、何人で寝ているかに関する情報のいずれかを加味して使用者Ａの健康状態を判定してもよい。
【００８５】
例えば、健康状態判定部２３は、年齢が低いほど健康状態が良くなるように判定してもよいし、使用者Ａが女性である場合に使用者Ａが男性である場合よりも健康状態が良くなるように判定してもよいし、１人で寝ている場合に複数人で寝ている場合よりも健康状態が良くなるように判定してもよい。
【００８６】
離床通知部２４は、例えば、使用者Ａ及び構成員Ｂ，Ｃのいずれかの寝具１からの離床をグループＧ内で共有するために端末Ｔ１，Ｔ２，Ｔ３に離床の通知を行う。例えば、体重測定センサ４によって構成員Ｃの荷重が所定時間検知されていない状態が継続したときに、健康状態判定部２３は構成員Ｃが一定時間離床していると判定する。
【００８７】
離床通知部２４は、例えば、健康状態判定部２３によって構成員Ｃが一定時間以上離床していると判定されたときに、構成員Ｃの離床を使用者Ａ及び構成員Ｂ，Ｃの端末Ｔ１，Ｔ２，Ｔ３のそれぞれにリアルタイムで通知する。健康状態判定部２３の判定基準となる上記の「一定時間」は、例えば、１５分又は３０分であるが、端末Ｔ１，Ｔ２，Ｔ３の操作によって変更可能とされていてもよい。この場合、所望の時間に離床の通知を受けることが可能となる。
【００８８】
アラーム通知部２５は、例えば、起床時間を設定可能な起床手段である。「起床時間」は、使用者Ａ及び構成員Ｂ，Ｃのそれぞれによって設定される起床時間を示している。「起床時間」は、使用者Ａ及び構成員Ｂ，Ｃのそれぞれによって設定される起床時刻、及び起床時刻より所定時間前の時刻から起床時刻までの時間、の双方を含む。
【００８９】
具体例として、「起床時間」は、起床時刻が６時に設定されたときには、６時より所定時間前の時刻（例えば３０分前の５時半）から６時までの３０分間を含んでもよい。また、「起床時間」は、起床時刻として設定されてもよいし、所定の範囲をもった時間（例えば５時半から６時までの間）として設定されてもよい。
【００９０】
アラーム通知部２５は、端末Ｔ１，Ｔ２，Ｔ３のそれぞれにおいて設定された起床時間になるとアラームを端末Ｔ１，Ｔ２，Ｔ３のそれぞれに通知して覚醒及び起床を促す。アラーム通知部２５は、例えば、寝具１に内蔵された発光部、寝具１に内蔵された振動部、及び寝具１に内蔵された発熱部、の少なくともいずれかに制御信号を出力して、当該発光部、当該振動部及び当該発熱部の少なくともいずれかを起動させて使用者Ａ及び構成員Ｂ，Ｃを起こしてもよい。
【００９１】
提案情報生成部２６は、健康状態判定部２３の各機能によって判定された使用者Ａの健康状態から当該健康状態に対する提案情報を生成する。例えば、提案情報生成部２６は、推奨入眠時刻、推奨起床時刻、推奨睡眠時間、コメント、商品情報及び施設情報の少なくともいずれかを生成してもよい。
【００９２】
提案情報生成部２６が生成する推奨入眠時刻、推奨起床時刻及び推奨睡眠時間は、例えば、平日及び休日のそれぞれに対して生成されてもよい。本明細書において、「休日」とは土曜、日曜及び祝日を示しており、「平日」とは休日以外の日を示している。但し、土曜は「平日」に含まれてもよい。また、休暇に合わせる等のために「平日」及び「休日」の日を変更可能であってもよい。
【００９３】
提案情報生成部２６が生成するコメントとしては、例えば、睡眠時間が所定時間よりも短いときに睡眠時間を増やした方がよい等のコメント、又は睡眠をとる部屋の温度を高くした方がよい等のコメントが挙げられる。提案情報生成部２６が生成する商品情報としては、例えば、抱き枕若しくは枕を含む寝具情報、又は温熱治療器等の情報が挙げられる。提案情報生成部２６が生成する施設情報としては、医療機関情報又は睡眠相談所情報が挙げられる。
【００９４】
データ表示制御部２７は、健康状態判定部２３によって判定された使用者Ａの健康状態を、使用者Ａの端末Ｔ１、及び他人Ｄの端末Ｔ４のそれぞれに表示する。図５に示されるように、例えば、データ表示制御部２７は、健康状態判定部２３の各機能によって判定された判定結果を総合して複数段階（例えば「Ａ」〜「Ｆ」の６段階）で端末Ｔ１及び端末Ｔ４のそれぞれに表示する。
【００９５】
データ表示制御部２７は、例えば、呼吸判定部２３ｇによって判定された使用者Ａの無呼吸の有無に関する情報Ｙ１、体重判定部２３ｅ及び血圧判定部２３ｆのそれぞれによって判定された使用者Ａの体重及び血圧に関する情報Ｙ２、並びに、睡眠環境判定部２３ｋによって判定された睡眠環境に関する情報Ｙ３を、端末Ｔ１と端末Ｔ４のそれぞれに表示してもよい。図５の例では、使用者Ａの無呼吸の有無、体重及び血圧を含む健康状態、並びに、寝具１が置かれた部屋の環境の状態が一目で分かる。
【００９６】
図６に示されるように、データ表示制御部２７は、睡眠時間判定部２３ａによって判定された平日及び休日のそれぞれの睡眠時間と、疲労度判定部２３ｃによって判定された平日及び休日のそれぞれの疲労度と、を使用者Ａの端末Ｔ１及び他人Ｄの端末Ｔ４のそれぞれに表示してもよい。図６の例では、平日及び休日のそれぞれにおける睡眠時間及び疲労度をデータ表示制御部２７が表示することにより、休日の寝だめの効果を把握することができる。この例では、使用者Ａは、平日よりも休日に１時間長く寝ているが、疲労度は「Ｂ」とそれほど変わらないことを示している。
【００９７】
図７に示されるように、データ表示制御部２７は、使用者Ａの体重の時系列データを、使用者Ａの端末Ｔ１及び他人Ｄの端末Ｔ４に表示してもよい。また、データ表示制御部２７は、使用者Ａの体重の変化量の時系列データを端末Ｔ１，Ｔ４に表示してもよい。図７の例では、体重測定センサ４によって測定された使用者Ａの体重が健康管理部２０に送信されてデータ記憶部２８に記憶され、当該記憶された体重又は体重の変化量の時系列データがデータ表示制御部２７によって表示される。図７の例では、使用者Ａの体重が若干増加傾向であることが分かる。
【００９８】
図８（ａ）に示されるように、データ表示制御部２７は、睡眠時間判定部２３ａによって判定された使用者Ａ及び構成員Ｂ，Ｃの睡眠時間を一覧として表示してもよい。図８（ａ）の例では、構成員Ｃの睡眠時間が比較的少ないことが一目で分かる。データ表示制御部２７は、使用者Ａ及び構成員Ｂ，Ｃのそれぞれの識別情報と、使用者Ａ及び構成員Ｂ，Ｃの健康状態（例えば、睡眠時間を含む睡眠状態）とを１対１で対応付けて表示してもよい。「識別情報」とは、グループ内の構成員を識別するための情報を示しており、例えば、氏名が挙げられる。また、「識別情報」は、ニックネーム等、氏名以外の識別情報であってもよく、例えば、グループが家族であれば、父、母又は子等の続柄であってもよい。
【００９９】
図８（ｂ）に示されるように、データ表示制御部２７は、疲労度判定部２３ｃによって判定された疲労度を使用者Ａの端末Ｔ１及び他人Ｄの端末Ｔ４のそれぞれに表示してもよい。例えば、データ表示制御部２７は、疲労度判定部２３ｃによって判定された使用者Ａ及び構成員Ｂ，Ｃの疲労度を一覧として表示している。この例では、構成員Ｂ，Ｃの疲労度が使用者Ａと比較して高いことが一目で分かる。
【０１００】
データ表示制御部２７は、例えば、使用者Ａ及び構成員Ｂ，Ｃのそれぞれの一日前の睡眠状態（例えば、昨晩の睡眠時間、又は昨晩の疲労度）を表示してもよいし、使用者Ａ及び構成員Ｂ，Ｃのそれぞれの一定期間における睡眠状態の平均（例えば、睡眠時間の平均、又は疲労度の平均）を表示してもよい。
【０１０１】
更に、データ表示制御部２７は、提案情報生成部２６による提案情報を使用者Ａの端末Ｔ１及び他人Ｄの端末Ｔ４に表示してもよい。データ表示制御部２７は、提案情報生成部２６によって生成されたコメントと商品情報を表示してもよい。例えば、図６に示されるように、データ表示制御部２７は、平日及び休日のそれぞれの睡眠時間及び疲労度を表示すると共に、休日の推奨起床時刻を表示してもよい。データ表示制御部２７が休日の推奨起床時刻を表示することにより、休日の睡眠時間と平日の睡眠時間とが乖離しすぎることを抑制することができる。
【０１０２】
以上のように構成された健康状態通知システム１０では、例えば図１及び図５に示されるように、高齢者等の使用者Ａが自宅等にある寝具１を用いてセンサＳから使用者Ａの睡眠データを取得し、健康状態通知システム１０の健康管理部２０は使用者Ａの睡眠データを受信する。健康状態判定部２３は使用者Ａの睡眠データから使用者Ａの病気の可能性（リスク）を判定し、健康状態判定部２３によって判定された使用者Ａの病気の可能性をデータ表示制御部２７が使用者Ａの端末Ｔ１及び他人Ｄの端末Ｔ４に表示してもよい。
【０１０３】
データ表示制御部２７は、健康状態判定部２３によって判定された使用者Ａの病気の可能性を、構成員Ｂ，Ｃ（例えば家族又は知人）の端末Ｔ２，Ｔ３、及び施設Ｘの他人Ｄ（例えばデイサービス又は病院等の関係者）の端末Ｔ４の両方に表示してもよい。この場合、家族又は知人等の構成員Ｂ，Ｃ、及びデイサービス又は病院の関係者等の他人Ｄに使用者Ａの健康状態を伝えることにより、使用者Ａは自身の健康状態に対して的確且つ迅速なアドバイスを受けることが可能となる。
【０１０４】
次に、本実施形態に係る健康状態通知システム１０から得られる作用効果について詳細に説明する。健康状態通知システム１０では、その使用者Ａが寝具１を保有し、寝具１には使用者Ａの睡眠データを取得するセンサＳが設けられている。健康状態判定部２３は、センサＳによって取得された使用者Ａの睡眠データから使用者Ａの健康状態を判定する。データ表示制御部２７は、使用者Ａの健康状態を、使用者Ａの端末Ｔ１、及び使用者Ａ以外の他人Ｄの端末に表示する。よって、使用者Ａの端末Ｔ１、及び使用者Ａ以外の他人Ｄの端末Ｔ４のそれぞれに使用者Ａの健康状態が表示されるので、使用者Ａだけでなく使用者Ａ以外の他人Ｄも使用者Ａの健康状態を把握することができる。
【０１０５】
従って、使用者Ａ以外の他人Ｄも使用者Ａの健康状態を把握することができるので、他人Ｄとして、例えば、医療関係者、介護関係者、又は睡眠相談所に所属する睡眠専門家の端末Ｔ４に使用者Ａの健康状態を表示することができる。その結果、医療関係者、介護関係者又は睡眠専門家等の他人Ｄを通じて使用者Ａが使用者Ａ自身の健康状態を十分に管理することができ、他人Ｄを通じて適切な処置をとることができる。よって、健康状態に対する対処を速やかに行うことができる。
【０１０６】
また、使用者Ａが保有する寝具１に設けられるセンサＳは、寝具１の上部に配置されており、且つ寝具１と一体化されている。従って、寝具１に接触した使用者Ａの身体に近い位置にセンサＳが設けられるので、センサＳが測定する睡眠データの精度を高めることができる。その結果、高精度な睡眠データを得ることができるので、使用者Ａの健康状態の高精度なデータを取得することができる。また、センサＳは寝具１に一体化されるので、測定の度にセンサＳを設置する手間を解消することができる。よって、設置の手間を低減させることができる。
【０１０７】
また、本実施形態において、使用者Ａは、複数の構成員Ｂ，Ｃから成るグループＧに属しており、寝具１は、グループＧに属する使用者Ａ及び構成員Ｂ，Ｃのそれぞれに保有されており、センサＳは、複数の寝具１のそれぞれに設けられており、健康状態判定部２３は、複数のセンサＳのそれぞれによって測定された使用者Ａ及び構成員Ｂ，Ｃの睡眠データから使用者Ａ及び構成員Ｂ，Ｃの健康状態を判定し、データ表示制御部２７は、健康状態判定部２３によって判定された使用者Ａ及び構成員Ｂ，Ｃの健康状態を使用者Ａ及び構成員Ｂ，Ｃのそれぞれの端末Ｔ１，Ｔ２，Ｔ３に表示する。
【０１０８】
よって、グループＧに属する使用者Ａを含む構成員Ｂ，Ｃのそれぞれが寝具１を保有し、複数の寝具１のそれぞれには使用者Ａ及び構成員Ｂ，Ｃのそれぞれの睡眠データを取得するセンサＳが設けられている。健康状態判定部２３は、各センサＳによって取得された使用者Ａ及び構成員Ｂ，Ｃの睡眠データから、使用者Ａ及び構成員Ｂ，Ｃの健康状態を判定する。そして、データ表示制御部２７は、使用者Ａ及び構成員Ｂ，Ｃの健康状態を端末Ｔ１，Ｔ２，Ｔ３のそれぞれに表示する。
【０１０９】
よって、使用者Ａ及び構成員Ｂ，Ｃのそれぞれの端末Ｔ１，Ｔ２，Ｔ３に使用者Ａ及び構成員Ｂ，Ｃの健康状態が表示されるので、各構成員が複数の構成員の健康状態を把握することができる。従って、使用者Ａは、自分の健康状態だけでなくグループＧに属する他の構成員Ｂ，Ｃの健康状態を把握することもできるので、例えば、遠隔地に住む子供、祖父又は祖母の健康状態を把握することができる。
【０１１０】
また、本実施形態に係る健康状態判定部２３は、図６に示されるように、使用者Ａの睡眠データから使用者Ａの疲労度の判定及び睡眠時間の算出を平日及び休日のそれぞれにおいて行い、データ表示制御部２７は、平日における睡眠時間及び疲労度と、休日における睡眠時間及び疲労度を、使用者Ａの端末Ｔ１、及び他人Ｄの端末Ｔ４に表示する。
【０１１１】
よって、平日の疲労度と休日の疲労度とを比較することによって休日の疲労回復度を把握することができる。また、平日及び休日の疲労度を睡眠時間と対応付けて表示することにより、休日の睡眠時間と平日の睡眠時間との差分である休日の寝だめの時間と、休日の疲労回復度との関係を把握することができる。従って、休日の寝だめ可能時間、及び休日の推奨起床時刻を把握することが可能となる。
【０１１２】
また、本実施形態に係る健康状態通知システム１０は、図５に示されるように、健康状態判定部２３によって判定された健康状態から使用者Ａへの健康に関する提案情報を生成する提案情報生成部２６を更に備える。よって、提案情報生成部２６が健康に関する提案情報を生成し、データ表示制御部２７が提案情報を使用者Ａの端末Ｔ１及び他人Ｄの端末Ｔ４に表示することにより、使用者Ａの健康状態に対する提案を更に的確に行うことができる。従って、使用者Ａの健康状態の更なる改善に寄与する。
【０１１３】
また、本実施形態において、センサＳは、使用者Ａの呼吸を測定する呼吸測定センサ（例えば呼吸心拍測定センサ２）を含んでおり、睡眠データは、呼吸測定センサによって測定された使用者Ａの呼吸データを含んでおり、健康状態判定部２３は、呼吸データから使用者Ａの無呼吸の有無を判定し、データ表示制御部２７は、使用者Ａの無呼吸の有無を、使用者Ａの端末Ｔ１、及び他人Ｄの端末Ｔ４に表示する。従って、データ表示制御部２７によって使用者Ａの無呼吸の有無に関する情報を使用者Ａの端末Ｔ１及び他人Ｄの端末Ｔ４に表示することができるので、無呼吸を患っているか否かを把握することができると共に無呼吸に対して適切な処置を速やかにとることができる。
【０１１４】
また、本実施形態に係るセンサＳは、図２及び図３に示されるように、使用者Ａの呼吸及び心拍を測定する呼吸心拍測定センサ２と、使用者Ａの体動を測定する体動測定センサ３と、を含んでおり、寝具１の上面には、凹部及び凸部が連続して形成されており、呼吸心拍測定センサ２及び体動測定センサ３は、凸部に接触した状態で固定されている。よって、寝具１の上面に凹部及び凸部が形成されているので、クッション性が高い寝具１とすることができる。更に、呼吸心拍測定センサ２及び体動測定センサ３が凸部に接触した状態で固定されることにより、呼吸心拍測定センサ２及び体動測定センサ３を寝具１の上部に固定できるので、呼吸、心拍及び体動のデータをより高精度に取得することができる。
【０１１５】
また、健康状態判定部２３は、睡眠データから使用者Ａ及び構成員Ｂ，Ｃのいずれかが一定時間以上離床しているか否かを判定し、例えば、構成員Ｃが一定時間以上離床していると判定されたときに離床通知部２４が構成員Ｃの離床を端末Ｔ１，Ｔ２，Ｔ３，Ｔ４にリアルタイムで通知してもよい。この場合、構成員Ｃの一定時間以上の離床をリアルタイムで複数の構成員及び他人と共有することができるので、睡眠中に異常があった場合の対応を迅速に行うことができる。
【０１１６】
また、図８（ｂ）に示されるように、健康状態判定部２３は、使用者Ａ及び構成員Ｂ，Ｃの睡眠データから使用者Ａ及び構成員Ｂ，Ｃの疲労度を判定し、データ表示制御部２７は、使用者Ａ及び構成員Ｂ，Ｃの疲労度を端末Ｔ１，Ｔ２，Ｔ３のそれぞれに表示してもよい。この場合、健康状態判定部２３は複数の構成員の疲労度を構成員ごとに判定し、データ表示制御部２７は構成員の疲労度を構成員ごとに表示する。従って、グループの中の誰の疲労度が高いかを端末Ｔ１，Ｔ２，Ｔ３で速やかに把握することができる。
【０１１７】
また、本実施形態に係る健康状態通知システム１０は、起床時間を設定可能なアラーム通知部２５を備え、健康状態判定部２３（睡眠深度判定部２３ｂ）は、使用者Ａの睡眠データから使用者Ａの睡眠深度を判定し、アラーム通知部２５は、設定された起床時間又は起床時間より前であって、且つ健康状態判定部２３によって判定された使用者Ａの睡眠深度が睡眠深度閾値より浅くなったときにアラームを使用者Ａに通知してもよい。
【０１１８】
具体例として、アラーム通知部２５は、設定された午前６時又は午前６時よりも前であって、且つ健康状態判定部２３によって判定された使用者Ａの睡眠深度が１（レム睡眠とノンレム睡眠との境界値）より浅くなったとき（例えば５時５０分）にアラームを使用者Ａに通知してもよい。この場合、使用者Ａは、所望の時間、又は所望の時間よりも早く起きることができる。更に、睡眠深度が睡眠深度閾値より浅いときにアラーム通知部２５が作動することによって使用者Ａは睡眠深度が浅い状態で快適に目覚めることができる。
【０１１９】
また、本実施形態に係るセンサＳは、使用者Ａの体重を測定する体重測定センサ４を含んでおり、図７に示されるように、データ表示制御部２７は、体重測定センサ４によって測定された体重又は体重の変化量の時系列データを端末Ｔ１，Ｔ２，Ｔ３、Ｔ４に表示してもよい。この場合、端末Ｔ１，Ｔ２，Ｔ３、Ｔ４に体重又は体重の変化量の時系列データが表示されるので、各構成員Ｂ，Ｃ及び他人Ｄは使用者Ａの体重の増加減少の傾向を把握することができる。
【０１２０】
以上、本開示に係る健康状態通知システムの実施形態について説明したが、本発明は、前述した実施形態に限られるものではなく、各請求項に記載した要旨を変更しない範囲において適宜変更可能である。すなわち、本発明に係る健康状態通知システムの各部の構成及び機能は、上記の要旨を逸脱しない範囲において適宜変更可能である。
【０１２１】
例えば、前述の実施形態では、呼吸心拍測定センサ２、体動測定センサ３、体重測定センサ４、血圧測定センサ１１、音測定センサ１２、脈測定センサ１３、温度センサ１４及び明るさセンサ１５を含むセンサＳについて例示した。しかしながら、寝具に設けられるセンサの構成は、上記の例に限られず適宜変更可能である。例えば、呼吸心拍測定センサ２、体動測定センサ３、体重測定センサ４、血圧測定センサ１１、音測定センサ１２、脈測定センサ１３、温度センサ１４及び明るさセンサ１５のいずれかが省略されてもよい。同様に、健康管理部の構成についても、構成員情報取得部２１、寝具情報取得部２２、健康状態判定部２３、離床通知部２４、アラーム通知部２５、提案情報生成部２６、データ表示制御部２７及びデータ記憶部２８を備える構成に限られず、適宜変更可能である。
【０１２２】
また、前述の実施形態では、睡眠時間判定部２３ａ、睡眠深度判定部２３ｂ、疲労度判定部２３ｃ、ストレス判定部２３ｄ、体重判定部２３ｅ、血圧判定部２３ｆ、呼吸判定部２３ｇ、脈判定部２３ｈ、寝返り判定部２３ｊ及び睡眠環境判定部２３ｋを備える健康状態判定部２３について説明した。しかしながら、健康状態判定部は、睡眠時間判定部２３ａ、睡眠深度判定部２３ｂ、疲労度判定部２３ｃ、ストレス判定部２３ｄ、体重判定部２３ｅ、血圧判定部２３ｆ、呼吸判定部２３ｇ、脈判定部２３ｈ、寝返り判定部２３ｊ及び睡眠環境判定部２３ｋのいずれかが省略されたものであってもよい。
【０１２３】
また、前述の実施形態では、マットレスである寝具１について例示したが、本発明に係る寝具は、マットレス以外のものであってもよい。例えば、本発明に係る寝具は、敷き布団、枕、掛け布団、クッション又は座布団等であってもよい。また、前述の実施形態では、クッション材５と側地９との間に呼吸心拍測定センサ２を含むセンサＳが固定される例について説明した。しかしながら、センサＳが固定される場所は、例えば、クッション材５の内部であってもよく適宜変更可能である。
【符号の説明】
【０１２４】
１…寝具、１ａ…一端、１ｂ…中心、２，２Ａ，２Ｂ…呼吸心拍測定センサ、３，３Ａ，３Ｂ，３Ｃ，３Ｄ…体動測定センサ、４…体重測定センサ、５…クッション材、６…ベース部、６ａ…上面、６ｂ…スリット（凹部）、６ｃ…直線部、６ｄ…拡張部、６ｅ…島部、７…第１突起（凸部）、７ａ…斜辺、７ｂ…頂面、８…第２突起（凸部）、８ａ…頂部、９…側地、９ａ…裏面、１０…健康状態通知システム、１１…血圧測定センサ、１２…音測定センサ、１３…脈測定センサ、１４…温度センサ、１５…明るさセンサ、２０…健康管理部、２１…構成員情報取得部、２２…寝具情報取得部、２３…健康状態判定部、２３ａ…睡眠時間判定部、２３ｂ…睡眠深度判定部、２３ｃ…疲労度判定部、２３ｄ…ストレス判定部、２３ｅ…体重判定部、２３ｆ…血圧判定部、２３ｇ…呼吸判定部、２３ｈ…脈判定部、２３ｊ…寝返り判定部、２３ｋ…睡眠環境判定部、２４…離床通知部、２５…アラーム通知部、２６…提案情報生成部、２７…データ表示制御部、２８…データ記憶部、Ａ…使用者、Ｂ，Ｃ…構成員、Ｄ…他人、Ｄ１…長手方向、Ｄ２…幅方向、Ｇ…グループ、Ｌ…直線、Ｍ１…肩、Ｍ２…胸、Ｍ３…腰、Ｓ…センサ、Ｔ１，Ｔ２，Ｔ３，Ｔ４…端末、Ｘ…施設、Ｙ１，Ｙ２，Ｙ３…情報。
【図１】
2020178888.tif 000003
【図２】
2020178888.tif 000004
【図３】
2020178888.tif 000005
【図４】
2020178888.tif 000006
【図５】
2020178888.tif 000007
【図６】
2020178888.tif 000008
【図７】
2020178888.tif 000009
【図８】
2020178888.tif 000010